(57)【要約】【課題】簡単な構成であって、簡単に安定して物理的及び電気的に接続できるブロック体を提供する。【解決手段】ブロック体は、一つ又は複数の突起部３と、嵌合部４とを具備する基体２と、基体２の内部に電導性を有する一つ又は複数のコネクタ５とを備える。そして、コネクタ５は、一方にピン部５ａと、他方に２枚の板ばねでピン部５ａの形状を挟持する接続部５ｂとを有すると共に、接続部５ｂの上端部は、突起部３の上面に露出しており、ピン部５ａは、嵌合部４内に突出している。さらに、電導性を有するサイドコネクタ板７を備えて、コネクタ５と電気的に接続してもよい。【選択図】  図１
2011067386.tif 000002
【特許請求の範囲】
【請求項１】
一つ又は複数の突起部（３）と、嵌合部（４）とを具備する基体（２）と、
前記基体（２）の内部に電導性を有する一つ又は複数のコネクタ（５）とを備えるブロック体であって、
前記コネクタ（５）は、
一方にピン部（５ａ）と、
他方に２枚の板ばねで前記ピン部（５ａ）の形状を挟持する接続部（５ｂ）とを有すると共に、
前記接続部（５ｂ）の上端部は、前記突起部（３）の上面に露出しており、
前記ピン部（５ａ）は、前記嵌合部（４）内に突出している
ことを特徴とするブロック体。
【請求項２】
前記コネクタ（５）を複数と、
電導性を有するサイドコネクタ板（７）とを備え、
前記サイドコネクタ板（７）は、前記嵌合部（４）内に配設されて、
前記コネクタ（５）と電気的に接続する
ことを特徴とする請求項１記載のブロック体。
【請求項３】
一つ又は複数の突起部（３）と、嵌合部（４）とを具備する基体（２）を備える請求項１及び請求項２に接続できるブロック体であって、
請求項１又は請求項２記載のブロック体との接続時に、
前記突起部（３）は、請求項１又は請求項２記載のブロック体の前記嵌合部（４）と嵌合し、
前記嵌合部（４）は、請求項１又は請求項２記載のブロック体の前記突起部（３）と嵌合される
ことを特徴とするブロック体。
【請求項４】
前記基体（２）は、一部又は全部を透明樹脂からなる
ことを特徴とする請求項１乃至請求項３のいずれか１項に記載のブロック体。
【請求項５】
電気回路用の電気配線であって、
請求項１乃至請求項４の少なくとも１つのブロック体を組み合わせてなる
ことを特徴とする電気配線。
【請求項６】
電源（１０）により発光する発光部品（１５ａ、１５ｂ、１５ｃ、１５ｄ）と、
文字部を透明部材（１６ｂ）で構成した表示板（１６）とを備える表示装置であって、
前記表示板（１６）の背面に、
前記電源（１０）と、
前記発光部品（１５ａ、１５ｂ、１５ｃ、１５ｄ）と、
請求項５記載の電気配線とを電気的に接続し、
前記発光部品（１５ａ、１５ｂ、１５ｃ、１５ｄ）を前記透明部材（１６ｂ）の後ろに配置する
ことを特徴とする表示装置。
【請求項７】
前記表示板１６は、請求項１乃至請求項４の少なくとも１つのブロック体を組み合わせてなる
ことを特徴とする請求項６記載の表示装置。
【請求項８】
ブロック体に埋設されるコネクタの製造方法であって、
導電性材料でメッキされた棒状の部材（５３）の一部を、
両端で細く加工された導電性材料からなる電極板（５１）を２等分に折り曲げて挟持し、
前記挟持している部分で、かつ、前記電極板（５１）の先端部から所定の長さに位置する部分を、
所定の長さのパイプ材（５２）で覆い、
前記パイプ材（５２）を圧着するかしめ工程と、
前記板の折り曲げ部を切断する切断工程と、
前記板の挟持している部分以外を、さらに、所定の位置で折り曲げる曲げ工程と、
を含むことを特徴とするブロック体用のコネクタの製造方法。
【請求項９】
一つ又は複数の突起部（３）と、嵌合部（４）と、
前記突起部（３）の上面に露出し、
前記突起部（３）と前記嵌合部（４）とを連通すると共に、
前記嵌合部（４）側の端部にストッパー部（６ａ）を有するコネクタ収納部（６）と、
を具備する基体（２）を成型する金型で絶縁材料を成形する成形工程と、
請求項８記載の製造方法により製造されたコネクタ（５）を、前記コネクタ収納部（６）に、
前記コネクタ（５）のピン部（５ａ）側から前記コネクタ（５）のかしめ部（５ｃ）がストッパー（６ｂ）に接するまで挿入し、
前記嵌合部（４）に突出する前記コネクタ（５）の前記電極板（５１）を曲げるコネクタ取付工程と、
を含むことを特徴とするブロック体の製造方法。
【請求項１０】
一つ又は複数の突起部（３）と、嵌合部（４）と、
前記突起部（３）の上面に露出し、
前記突起部（３）と前記嵌合部（４）とを連通すると共に、
前記嵌合部（４）側の端部にストッパー部（６ａ）を有するコネクタ収納部（６）と、
を具備する基体（２）を成型する金型で絶縁材料を成形する成形工程と、
所定の形状に加工された導電性材料からなるサイドコネクタ板（７）を前記嵌合部（４）内に配設するサイドコネクタ板取付工程と、
請求項８記載の製造方法により製造されたコネクタ（５）を、前記コネクタ収納部（６）に、前記コネクタ（５）のピン部（５ａ）側から前記コネクタ（５）のかしめ部（５ｃ）がストッパー（６ｂ）に接するまで挿入すると共に、
前記電極板（５１）の一部及び前記コネクタ（５）のピン部（５ａ）をサイドコネクタ板（７）に貫通させ、
前記嵌合部（４）に突出する前記コネクタ（５）の前記電極板（５１）を曲げると共に、前記電極板（５１）をサイドコネクタ板（７）に接触させるコネクタ取付固定工程と、
を含むことを特徴とするブロック体の製造方法。
【発明の詳細な説明】
【技術分野】
【０００１】
本発明は、任意の電気的な配線を構成することを主目的とする電気配線用ブロック体とその製造方法及びこれを利用した表示装置に関する。
【背景技術】
【０００２】
凸部と凹部を有していて、係脱自在に組み合わせる周知のブロック玩具、或いは玩具用ブロック・ユニットが知られている（特許文献１）。
【０００３】
また、ブロック体の内部に異なる複数の電子デバイスを設け、それらを相互に接続することで各種電子機器を構成するようにしたブロック体及びブロックユニットが知られている（特許文献２）。さらに、モータ、センサ、ライト、ブザー、通信機器又はバッテリ等を組み込んだそれぞれの制御ブロックを、介在具によって自在に結合させて得られるロボットなどのインテリジェントなブロックシステムなども提案されている（特許文献３）。
【先行技術文献】
【特許文献】
【０００４】
【特許文献１】特開平６−９１０６２号公報
【特許文献２】特開２００４−２０９０６０号公報
【特許文献３】特開２０００−２３７４６４号公報
【発明の概要】
【発明が解決しようとする課題】
【０００５】
これらのブロック体を用いた応用製品は、その用途を問わず、単純な形状・構造の数種類のブロック体を組み合わせることにより、様々な形状を構築することができる特徴を活かしている。
【０００６】
ブロック玩具の本体部は通常、凸部と凹部とを有する数種類の同形同大のユニットで構成され、コストを抑えて大量生産するために多くの場合、金型を用いて樹脂を加工した成型品が用いられる。
【０００７】
本件発明者は、ブロック体の内部に電極を埋め込み、それらを組み合わせて任意の立体的な電気配線を構成することができる電気配線用ブロック体の開発、及びこのブロック体を利用した表示装置の開発を試みていたが、大きな電流を流すほど発熱量も増大し、また、十分な絶縁耐圧を得ることも難しいという問題に直面していた。
【０００８】
本発明は、上記の問題を解決するためになされたものであり、着脱が容易で扱いやすく、しかも、小型でありながら発熱を抑えて安定して電流を流すことができ、十分な絶縁耐圧を有する電気配線用のブロック体を提供すること、また、そのようなブロック体を低コストで製造する方法を提供することを主たる技術的課題とする。
【課題を解決するための手段】
【０００９】
第１の発明に係るブロック体は、一つ又は複数の突起部３と、嵌合部４とを具備する基体２と、基体２の内部に電導性を有する一つ又は複数のコネクタ５とを備える。そして、コネクタ５は、一方にピン部５ａと、他方に２枚の板ばねでピン部５ａの形状を挟持する接続部５ｂとを有すると共に、接続部５ｂの上端部は、突起部３の上面に露出しており、ピン部５ａは、嵌合部４内に突出していることを特徴とする。
【００１０】
第１の発明に係るブロック体は、そのブロック体と同形同大のブロック体同士、又は、突起部３、嵌合部４及びコネクタ５と同様の構成を持つ他のブロック体と相互に接続することができる。そして、突起部３が他のブロック体の嵌合部４に嵌合すると同時に、コネクタ５の接続部５ｂが他のブロック体のコネクタ５のピン部５ａを挟持する。反対に、その嵌合部４が他のブロック体の突起部３に嵌合されると同時に、コネクタ５のピン部５ａが他のブロック体のコネクタ５の接続部５ｂを挟持される。これにより、簡単に安定した物理的及び電気的な接続をすることができる。さらに、構成が簡単であるため、自由に組み合わせることができ、様々な形状、任意の立体的な電気配線の経路を構築することができる。
【００１１】
第２の発明に係るブロック体は、複数のコネクタ５を備える第１の発明に係るブロック体で、さらに、電導性を有するサイドコネクタ板７を備える。そして、サイドコネクタ板７は、嵌合部４内に配設されて、コネクタ５と電気的に接続することを特徴とする。
【００１２】
第２の発明に係るブロック体は、基体２の内部に複数のコネクタ５と電気的に接続するサイドコネクタ板７を備えるため、同ブロック内のコネクタ５同士をサイドコネクタ板７を介して電気的に接続することができる。そして、突起部３、嵌合部４及びコネクタ５が第１の発明に係るブロック体と同様の構成であるため、それらのブロック体を組み合わせて使用することができ、さらに、様々な形状や電気配線の経路を構築することができる。
【００１３】
第３の発明に係るブロック体は、第１の発明に係るブロック体及び第２の発明に係るブロック体と同様の基体２、突起部３及び嵌合部４を備える。そして、第１の発明に係るブロック体又は第２の発明に係るブロック体との接続時に、突起部３は、第１の発明に係るブロック体及び第２の発明に係るブロック体の嵌合部４と嵌合し、又は、嵌合部４は、第１の発明に係るブロック体及び第２の発明に係るブロック体の突起部３と嵌合されることを特徴とする。
【００１４】
第３の発明に係るブロック体は、突起部３及び嵌合部４が第１の発明に係るブロック体及び第２の発明に係るブロック体と同様の構成であるため、それらのブロック体を組み合わせて使用することができる。第３の発明に係るブロック体は、その内部にコネクタ５やサイドコネクタ板７を備えないので、軽量であり、その製造の費用を安くできる。そして、特に、第１の発明に係るブロック体や第２の発明に係るブロック体の組み合わせで電気配線が不要な部分に、補強の目的で使用することができる。
【００１５】
第４の発明に係るブロック体は、第１の発明に係るブロック体、第２の発明に係るブロック体及び第３の発明に係るブロック体のいずれか１つのブロック体であって、基体２の一部又は全部を透明樹脂とすることを特徴とする。
【００１６】
第４の発明に係るブロック体は、内部を視認することができるため、ブロック体の組み立て前後で簡単に電気配線の経路を確認することができる。また、発光部品と様々に組み合わせて用いることができる。
【００１７】
第５の発明に係る電気配線は、上記の第１の発明から第４の発明までの少なくとも１つに係るブロック体を組み合わせてなることを特徴とする。
【００１８】
第５の発明に係る電気配線は、第１の発明から第４の発明までの少なくとも１つに係るブロック体を組み合わせることにより、簡単に所望の経路を構築できる。そして、その電気配線に接続する電子部品等は、その端子さえコネクタ５の接続部５ｂに挿入できれば、接続するための専用コネクタや専用工具による結線等の処理を不要とすることができ、簡単に電気回路を構築することができる。
【００１９】
第６の発明に係る表示装置は、電源１０により発光する発光部品１５ａ、１５ｂ、１５ｃ、１５ｄと、文字部を透明部材１６ｂで構成した表示板１６とを備える。そして、表示板１６の背面に、電源１０と、発光部品１５ａ、１５ｂ、１５ｃ、１５ｄと、第５の発明に係る電気配線とを電気的に接続し、発光部品１５ａ、１５ｂ、１５ｃ、１５ｄを透明部材１６ｂの後ろに配置することを特徴とする。
【００２０】
第６の発明に係る表示装置は、簡単に分解及び組み立てができるため、様々な場所に持ち運んで使用することができる。また、その場所や表示したい内容に応じて、自由に装置や各部の大きさや形状を変更することができる。
【００２１】
第７の発明に係る表示装置は、第６の発明に係る表示装置であって、さらに、表示板１６は、上記の第１の発明から第４の発明までの少なくとも１つに係るブロック体を組み合わせてなることを特徴とする。
【００２２】
第７の発明に係る表示装置は、表示板１６を分解及び組み立てが容易になるため、さらに、様々な場所や用途に使用することができる。
【００２３】
第８の発明に係るブロック体用のコネクタの製造方法は、まず、導電性材料でメッキされた棒状の部材５３の一部を、両端で細く加工された導電性材料からなる電極板５１を２等分に折り曲げて挟持する。そして、挟持している部分で、かつ、電極板５１の先端部から所定の長さに位置する部分を、所定の長さのパイプ材５２で覆う。そして、パイプ材５２を圧着する（かしめ工程）。そして、板の折り曲げ部を切断する（切断工程）。そして、板の挟持している部分以外を、さらに、所定の位置で折り曲げる（曲げ工程）。以上の手順により第１の発明及び第２の発明に係るブロック体用のコネクタを得る。
【００２４】
第８の発明に係るブロック体用のコネクタの製造方法は、導電性材料からなる板５１、アルミパイプ５２及び導電性材料でメッキされた棒状の部材５３の少ない部品でコネクタ５を製造できるため、製造の時間を短く、製造の費用を低く抑えることができる。
【００２５】
第９の発明に係るブロック体の製造方法は、まず、一つ又は複数の突起部３と、嵌合部４と、突起部３の上面に露出し、突起部３と嵌合部４とを連通すると共に、嵌合部４側の端部にストッパー６ｂを有するコネクタ収納部６とを具備する基体２を成型する金型で絶縁材料を成形する（成形工程）。そして、第８の発明に係るブロック体用のコネクタの製造方法により製造されたコネクタ５を、コネクタ収納部６に、コネクタ５のピン部５ａ側からコネクタ５のかしめ部５ｃがストッパー６ｂに接するまで挿入し、嵌合部４に突出するコネクタ５の電極板５１を曲げる（コネクタ取付工程）。以上の手順により、第１の発明に係るブロック体を得る。
【００２６】
第９の発明に係るブロック体の製造方法は、金型により一体成形された基体２に、第８の発明に係るブロック体用のコネクタの製造方法により製造されたコネクタ５を挿入して、そのコネクタ５の一部を折り曲げるだけで、簡単に第１の発明に係るブロック体を得ることができる。
【００２７】
基体２は、第３の発明に係るブロック体と同一構成であるため、コネクタ５を取り付けない場合は、第３の発明に係るブロック体を得ることができる。
【００２８】
第１０の発明に係るブロック体の製造方法は、まず、一つ又は複数の突起部３と、嵌合部４と、突起部３の上面に露出し、突起部３と嵌合部４とを連通すると共に、嵌合部４側の端部にストッパー６ｂを有するコネクタ収納部６とを具備する基体２を成型する金型で絶縁材料を成形する（成形工程）。そして、所定の形状に加工された導電性材料からなるサイドコネクタ板７を嵌合部４内に配設する（サイドコネクタ板取付工程）。そして、第８の発明に係るブロック体用のコネクタの製造方法により製造されたコネクタ５を、コネクタ収納部６に、コネクタ５のピン部５ａ側からコネクタ５のかしめ部５ｃがストッパー６ｂに接するまで挿入すると共に、電極板５１の一部及びコネクタ５のピン部５ａをサイドコネクタ板７に貫通させる。そして、嵌合部４に突出するコネクタ５の電極板５１を曲げると共に、電極板５１をサイドコネクタ板７に接触させる（コネクタ取付固定工程）。以上の手順により、第２の発明に係るブロック体を得る。
【００２９】
第１０の発明に係るブロック体の製造方法は、金型により一体成形された基体２に、嵌合部４内にサイドコネクタ板７を配設した後に、第８の発明に係るブロック体用のコネクタの製造方法により製造されたコネクタ５を挿入して、そのコネクタ５の一部を折り曲げるだけで、簡単に第２の発明に係るブロック体を得ることができる。
【００３０】
第９の発明及び第１０の発明に係るブロック体の製造方法は、部品数及び作業工程が少ないため、大量生産に適している。また、基体２と、コネクタ５と、サイドコネクタ板７とをそれぞれ製造すると、その後の組み合わせでは、専用工具も不要である。そのため、予め各部品を大量に製造することによって、簡単に製造の費用を低く抑えて、第１の発明、第２の発明及び第３の発明に係るブロック体を製造することができる。
【発明の効果】
【００３１】
本発明に係る電気配線用ブロック体は、着脱が容易でしかも小型でありながら十分な電流定格及び絶縁耐圧を有するほか、工具を一切必要とせずに様々な電気配線を構成することができる。また、本発明に係る電気配線用ブロック体の製造方法は、本体部は樹脂等の成型品で構成し、内部の電極は簡単な形状に加工した金属部品のみからなるため、低コストで大量生産が可能である。また、本発明に係る電気配線用ブロック体を用いることにより、表示装置を構成することもできる。
【図面の簡単な説明】
【００３２】
【図１】第１の実施形態の概略を示す図、（ａ）は上方から見た図であり、（ｂ）は正面から見た図であり、（ｃ）は、側方から見た図
【図２】コネクタの概略を示す図、（ａ）は上方から見た図であり、（ｂ）は正面から見た図であり、（ｃ）は側方から見た図
【図３】第１の実施形態の接続の構成を説明する図
【図４】第１の実施形態の接続の一例を示す図、（ａ）は第１の実施形態を複数接続した斜視図であり、（ｂ）は図４（ａ）の配線経路を示した斜視図
【図５】第２の実施形態の概略を示す図、（ａ）は上方から見た図であり、（ｂ）は正面から見た図であり、（ｃ）は、側方から見た図
【図６】第３の実施形態の概略を示す図、（ａ）は上方から見た図であり、（ｂ）は正面から見た図であり、（ｃ）は、側方から見た図
【図７】コネクタの製造手順を示した概略図、（ａ）は各部材の組合せを示す図であり、（ｂ）はかしめ工程を示す図であり、（ｃ）は切断工程を示す図であり、（ｄ）は曲げ工程を示す図
【図８】第１の実施形態のブロック体と第２の実施形態のブロック体とを用いた電気回路の一例を写真で表す図
【図９】図８の電気回路を示す図、（ａ）は図８の電気回路を立体的に示す図であり、（ｂ）は、図８及び図９（ａ）の電気回路を平面的に示す図
【図１０】第５の実施形態の他の例を示す図、（ａ）は図９（ｂ）と異なる電気回路を示す図であり、（ｂ）は、図１０（ａ）の電気回路を実現するための接続の構成例を示す図
【図１１】表示装置の表示板を正面の斜め方向から見た図
【図１２】表示装置を説明する図、（ａ）は表示装置を上方から見た図であり、（ｂ）は表示装置を正面の斜め方向から見た図
【図１３】表示装置を側方から見た図
【図１４】ベース板の一例を示す図、（ａ）は上方から見た図であり、（ｂ）は側方から見た図
【図１５】接続板の一例を示す図、（ａ）は上方から見た図であり、（ｂ）は正面から見た図であり、（ｃ）は側方から見た図
【図１６】ベース板の他の一例を示す図、（ａ）は上方から見た図であり、（ｂ）は側方から見た図
【発明を実施するための形態】
【００３３】
本発明に係るブロック体は、突起部の数、コネクタの有無、サイドコネクタ板の有無、基体の形状や大きさ、突起部の形状や大きさ等によって、様々の構成が存在する。そのため、特に、基本的な構成として、突起部の数が２つのブロック体について説明する。そのブロック体は、コネクタの有無とサイドコネクタ板の有無により大きく３形態に分けられる。その形態は、具体的に、（１）コネクタとサイドコネクタ板とを両方有するブロック体、（２）コネクタのみを有するブロック体、（３）コネクタとサイドコネクタ板とを両方有しないブロック体、である。したがって、基本構成の一例として、以下にそのブロック体の説明をするが、突起部、コネクタやサイドコネクタ板の数、形状や大きさ、基体の形状や大きさ等に限定されるものではなく、適宜変更ができるものである。
【００３４】
（第１の実施形態）
図１は、第１の実施形態の概略を示す図である。図１（ａ）は、第１の実施形態を上方から見た図であり、図１（ｂ）は、第１の実施形態を正面から見た図であり、図１（ｃ）は、第１の実施形態を側方から見た図である。
【００３５】
ブロック体１ａは、直方体の基体２と、円筒形状の２つの突起部３と、突起部３の形状物と嵌合する嵌合部４と、コネクタ収納部６と、そのコネクタ収納部６に収納されるコネクタ５と、サイドコネクタ板７とを有する。
【００３６】
基体２は、絶縁性材料であればよい。また、その形状や大きさは、他のブロック体と嵌合したり、製造するのに適した形状や大きさであればよい。具体的に、奥行き７．０［ｍｍ］、幅１４．１［ｍｍ］、高さ１０．０［ｍｍ］の直方体である。基体２は、樹脂で構成し、その耐電圧を２４［Ｖ］以上とすることが好ましい。
【００３７】
突起部３は、基体２の上面に、並べて配設されている。具体的に、基体２の奥行きをＤ、幅をＷとすると、突起部３の中心は、基準点Ｒから見て、奥行き方向にＤ／２で幅方向にＷ／４の位置に、奥行き方向にＤ／２で幅方向に３Ｗ／４の位置に、それぞれ配設されている。また、２つの突起部３の間隔の長さをＬ１とし、基体２の各辺から突起部３までの最短距離の長さをＷ１及びＤ１とすると、その長さＬ１は、２Ｄ１以上であり、かつ、２Ｗ１以上であり、かつ、Ｄ１＋Ｗ１以上である。なお、実際の各部の寸法は、あそびを考慮する必要があるが、本明細書では、特に、明記しない。
【００３８】
突起部３の上面には、四角のコネクタ挿入口６ａが設けられている。コネクタ５は、このコネクタ挿入口６ａからコネクタ収納部６に挿入される。
【００３９】
この突起部３を基体２と同じ材料で構成すると、一体成形が可能である。突起部３は、具体的に、直径４．５５［ｍｍ］の円形を底面とし、高さ２．５［ｍｍ］とする円筒である。また、コネクタ挿入口６ａは、具体的に、１辺を２．５［ｍｍ］とする正方形であり、突起部３の上面の中心に設けられる。
【００４０】
嵌合部４は、基体２の下面に、突起部３の形状をその突起部３の同数まで嵌合できるように設けられている。その嵌合部４には、複数の突起部を仕切って固定する直方体の敷居部４ａを設けている。この敷居部４ａの幅Ｌ２は、２つの突起部３の間隔の長さＬ１とほぼ同程度の長さである。
【００４１】
コネクタ収納部６は、突起部３の上面、つまり、コネクタ挿入口６ａと、嵌合部４とを連通する四角形の管であり、嵌合部４側の一端にはストッパー６ｂが設けられている。
【００４２】
コネクタ５は、銅等の導電性材料で構成され、コネクタ収納部６のストッパー６ｂに固定されている。そのコネクタ５の一方の先端部は、突起部３の上面のコネクタ挿入口６ａから露出し、他方の先端部は、サイドコネクタ板７を貫通して、嵌合部４に突出している。そして、コネクタ５の突起部３側の先端部は、他のコネクタ５の嵌合部４側の先端部と物理的に接続できる構成となっている。同様に、コネクタ５の嵌合部４側の先端部は、他のコネクタ５の突起部３側の先端部と物理的に接続できる構成となっている。
【００４３】
サイドコネクタ板７は、銅等の導電性材料で構成され、嵌合部４の一面を覆うように配設され、コネクタ５の一部と接触している。そのため、コネクタ５同士は、サイドコネクタ板７を通して電気的に接続される。
【００４４】
仮にブロック体がコネクタ５を３つ以上有する場合、コネクタ５とサイドコネクタ板７との接続構成により、特定のコネクタ５同士を電気的に接続するようにしてもよい。
【００４５】
コネクタ５同士やコネクタ５とサイドコネクタ板７との接触面積は、２［Ａ］以上の電流を流し得るように設計することが好ましい。
【００４６】
第１の実施形態のブロック体を複数接続させると、例えば、突起部３が、嵌合部４に嵌合されると同時に、嵌合部４に突出したコネクタ５の先端部が、突起部３の上面に露出したコネクタ５の他端部に接続される。同様に、嵌合部４が、突起部３に嵌合すると同時に、突起部３の上面に露出したコネクタ５の先端部は、嵌合部４に突出したコネクタ５の先端部に接続される。
【００４７】
第１の実施形態は、ブロック体の内部に導電性を有するコネクタ５とサイドコネクタ板７とを設けることで、コネクタ５を通じて電気を供給することができる。また、第１の実施形態のブロック体を複数組み合わせることで、簡単にコネクタ５を接続させることができ、コネクタ５やサイドコネクタ板７を通じて電気を供給する電気配線の経路を簡単に構築できる。
【００４８】
第１の実施形態は、主に玩具としても用いられるため、人体に危険を及ぼす部分をなくし、取り扱いやすくするために軽量であることが好ましい。
【００４９】
第１の実施形態のバリエーションとして、その基体２の幅Ｗを半分にして１つの突起部３と、１つのコネクタ５とを有するブロック体を基準形とすることもできる。そして、その他のブロック体の奥行き、幅、高さ等をその基準形の整数倍とすることにより、そのブロック体同士が簡単に物理的、電気的に接続可能なブロック体のバリエーションを構築することができる。
【００５０】
第１の実施形態は、ブロック体１ａの突起部３や基体２の一部又は全部を透明にしたり、着色したりしてもよい。例えば、ブロック体の基体２を透明にすると、ブロック体内部を視認でき、その配線構造を簡単に理解することができる。また、照明器具や装飾用のインテリア用品として利用することもできる。なお、本明細書において「透明」という場合には、その透明度は問題とせず、一定程度光を透過するものであれば、半透明或いは着色された半透明の樹脂であっても良いものと解する。
【００５１】
−コネクタについて−
図２は、コネクタの概略を示す図である。図２（ａ）は、コネクタを上方から見た図であり、図２（ｂ）は、コネクタを正面から見た図であり、図２（ｃ）は、コネクタを側方から見た図である。
【００５２】
コネクタ５は、細長い棒状のピン部５ａと、２枚の板ばねからなる接続部５ｂと、ピン部５ａと接続部５ｂとを圧着して一体化されるかしめ部５ｃと、コネクタ収納部６のストッパー６ｂにコネクタ５を固定する固定部５ｄとを有する。
【００５３】
コネクタ５は、導電性材料で構成されるが、電気の供給を妨げない程度に一部を絶縁材料で構成しても良い。ピン部５ａは、角形等の様々な形状を用いることができる。そして、接続部５ｂも、ピン部５ａの形状に応じて様々な形状の板ばねや、そのピン部５ａを挟持する様々な挟持機構を用いることができる。かしめ部５ｃは、かしめ加工されて略直方体の形状をしている。かしめ部５ｃの形状は、コネクタ収納部６に挿入することができ、図１に示すように、コネクタ収納部６の断面を四角にすることで簡単にコネクタ５を収納することができる。
【００５４】
コネクタ５は、コネクタ収納部６に挿入され、ピン部５ａを嵌合部４に突出させ、接続部５ｂの上端を突起部３の上面、つまり、コネクタ挿入口６ａから露出するように固定される。そして、コネクタ５を有する突起部３と別のブロック体の嵌合部４とが嵌合すると、例えば、突起部３が嵌合部４に嵌合されると、嵌合部４に突出するピン部５ａは、突起部３の上面に露出する接続部５ｂの２枚の板ばねで挟持される。
【００５５】
このピン部５ａと、接続部５ｂとの接触面積を大きくすることで、大きな電流を流すことができる。例えば、ピン部５ａを角形の棒材や接続部５ｂの最も狭い箇所にあわせてくびれを入れた形状とすることができる。
【００５６】
図３は、第１の実施形態の接続の構成を説明する図であり、第１の実施形態のブロック体１ａを３個接続している。具体的には、下から１段目のブロック体（以下、単に「１段目」という。）の突起部３の１つに、２段目のブロック体（以下、単に「２段目」という。）を鉛直方向の周りに９０度回転させて、２段目の嵌合部４を嵌合させ、その２段目の突起部３の２つに、３段目のブロック体（以下、単に「３段目」という。）の嵌合部４を嵌合させている。
【００５７】
図３から、１段目の突起部３と２段目の嵌合部４とが嵌合すると同時に、１段目の突起部３の上面に露出するコネクタ５の接続部５ｂは、２段目の嵌合部４から突出するコネクタ５のピン部５ａを２枚の板ばねで挟持し、同様に、２段目の突起部３と３段目の嵌合部４とが嵌合すると同時に、２段目の突起部３の上面に露出するコネクタ５の接続部５ｂは、３段目の嵌合部４から突出するコネクタ５のピン部５ａを２枚の板ばねで挟持していることがわかる。このとき、図３に示すように、２段目のコネクタ５の接続部５ｂの膨らんでいる部分をコネクタ収納部６の側壁に接触するようにすると、２枚の板ばねのピン部５ａを挟持する力が増すため、さらに、そのブロック体同士を安定して接続することができる。
【００５８】
さらに、この構成では、例えば、点Ｐ１から点Ｐ２、点Ｐ１から点Ｐ３及び点Ｐ１から点Ｐ４が電気的に接続されていることがわかる。
【００５９】
よって、第１の実施形態のブロック体同士が接続されると、突起部３と嵌合部４との嵌合だけでなく、コネクタ５による接続も同時に行うことができ、全体的に安定した物理的、電気的な接続が可能となることがわかる。
【００６０】
図４は、第１の実施形態の接続の一例を示す図であり、図４（ａ）は、第１の実施形態のブロック体１ａを１１個接続した斜視図であり、図４（ｂ）は、図４（ａ）の配線経路を示した斜視図である。
【００６１】
図４（ａ）のように第１の実施形態のブロック体１ａを接続すると、図４（ａ）のＡとＢとは、外観上離れていても、例えば、図４（ｂ）の破線で示すようなＡとＢと結ぶ配線経路が構成され、ＡとＢとは電気的に接続される。
【００６２】
（第２の実施形態）
図５は、第２の実施形態の概略を示す図である。図５（ａ）は、第２の実施形態を上方から見た図であり、図５（ｂ）は、第２の実施形態を正面から見た図であり、図５（ｃ）は、第２の実施形態を側方から見た図である。
【００６３】
ブロック体１ｂは、直方体の基体２と、円筒形状の２つの突起部３と、突起部３の形状物と嵌合する嵌合部４と、コネクタ収納部６と、そのコネクタ収納部６に収納されるコネクタ５とを有する。第２の実施形態は、第１の実施形態のサイドコネクタ板７を除く構成であり、それ以外は、第１の実施形態と同様である。
【００６４】
第２の実施形態は、第１の実施形態のバリエーションの１つであり、第１の実施形態や他の第２の実施形態と接続させることができる。特に、第２の実施形態は、コネクタ５を各々独立させて電気を供給することができる。そして、例えば、第２の実施形態を第１の実施形態や他の第２の実施形態のブロック体と接続させることにより、電気配線のバリエーションを増やすことができ、効率の良い電気配線を構築できる。
【００６５】
（第３の実施形態）
図６は、第３の実施形態の概略を示す図である。図６（ａ）は、第３の実施形態を上方から見た図であり、図６（ｂ）は、第３の実施形態を正面から見た図であり、図６（ｃ）は、第３の実施形態を側方から見た図である。
【００６６】
ブロック体１ｃは、直方体の基体２と、円筒形状の２つの突起部３と、突起部３の形状物と嵌合する嵌合部４と、コネクタ収納部６と、そのコネクタ収納部６に収納されるコネクタ５とを有する。第３の実施形態は、第１の実施形態のコネクタ５及びサイドコネクタ板７を除く構成であり、それ以外は、第１の実施形態と同様である。
【００６７】
第３の実施形態は、第１の実施形態のバリエーションの１つであり、第１の実施形態、第２の実施形態や他の第３の実施形態のブロック体と接続させることができる。特に、第３の実施形態は、配線を必要としない部分に補強として使用することができ、コネクタ５及びサイドコネクタ板７のコストを抑えることができる。
【００６８】
（第４の実施形態）
第４の実施形態は、第１の実施形態の製造方法である。第１の実施形態のブロック体１ａの製造方法は、突起部３と嵌合部４とコネクタ収納部６とを有する基体２、コネクタ５及びサイドコネクタ板７をそれぞれ製造し、最後にそれらを組み合わせる手順となる。ここで、まず、コネクタ５を低コストで製造する手順を以下に説明する。
【００６９】
−コネクタの製造−
図７は、コネクタの製造手順を示した概略図である。図７（ａ）は各部材の組み合わせを示す図であり、図７（ｂ）はかしめ工程を示す図であり、図７（ｃ）は切断工程を示す図であり、図７（ｄ）は曲げ工程を示す図である。
【００７０】
まず、図７（ａ）に示すように、両端を細く加工された銅板５１の一番長い辺を半分に折り曲げ、銅の棒材５３をその銅板５１の両端で挟持する。銅の棒材５３は、すずメッキされていることが好ましい。そして、その挟持している部分をアルミパイプ５２で覆う。このアルミパイプ５２で覆う部分を以下、「挟持部」という。このとき、固定部５ｄを設けるために、両端の細い部分の長さは、アルミパイプ５２の長さよりも所定値だけ大きくする。具体的には、コネクタ収納部６のストッパー６ｂのコネクタ５の挿入方向の厚さを０．７［ｍｍ］、嵌合部４の奥行きを４．５５［ｍｍ］、アルミパイプ５２の長さを２．４［ｍｍ］とする場合、幅４５［ｍｍ］、奥行き２．２［ｍｍ］、厚さ０．１［ｍｍ］の銅板の幅方向の両端を、その端から４．７［ｍｍ］の長さだけ、奥行き方向の両端から０．６［ｍｍ］ずつ段差を設けるように加工する。このとき、その段差の銅板の奥行きは、１．０［ｍｍ］となる。このアルミパイプ５２の内径は、１．０［ｍｍ］よりも大きく２．２［ｍｍ］よりも小さくする。
【００７１】
次に、図７（ｂ）に示すように、その挟持部を圧着工具５４で４方向から圧着する。このとき、圧着される挟持部は、コネクタ収納部６に収納できる形状や大きさにする。具体的には、１辺を２．５［ｍｍ］より少し小さい正方形を底面とする略直方体である。
【００７２】
次に、図７（ｃ）に示すように、銅板５１の折り曲げ部を切断工具５５により所定の位置で切断する。
【００７３】
次に、図７（ｄ）に示すように、銅板５１の所定の位置を曲げて、ピン部５ａを挟持できる接続部５ｂの板ばねを作成する。ここで、コネクタ５の固定部５ｄとなる部分は、コネクタ５を基体２に挿入して固定するときに曲げる。
【００７４】
以上の手順により、コネクタ５は、両端を細く加工された銅板５１と、アルミパイプ５２と、銅の棒材５３と、から簡単に低コストで製造することができる。
【００７５】
−突起部と嵌合部とコネクタ収納部とを有する基体の製造−
突起部３と嵌合部４とコネクタ収納部６とを有する基体２は、その基体２の外形を製造する金型に、嵌合部４と同形の金型と、コネクタ収納部６と同形の金型とを所定の位置に配置し、その金型に樹脂等の絶縁材料を流し込んで一体成形する。これにより、突起部３と嵌合部４とコネクタ収納部６とを有する基体２は、簡単に低コストで大量に製造することができる。
【００７６】
−サイドコネクタ板の製造−
サイドコネクタ板７は、銅板に、コネクタ５のピン部５ａとコネクタ５の固定部５ｄとが通る穴と、嵌合部４の敷居部４ａの通る穴とを開けて、嵌合部４に収まる寸法に加工する。具体的には、、幅１１．６５［ｍｍ］、奥行き４．５５［ｍｍ］、厚さ０．１［ｍｍ］の銅板に、ピン部５ａと固定部５ｄとが通るための穴として幅２．５［ｍｍ］で奥行き１．３［ｍｍ］の長方形を２つと、敷居部４ａが通るための穴として幅２．５５［ｍｍ］で奥行き１．６［ｍｍ］の長方形を１つとを開ける。これにより、サイドコネクタ板７は、銅板から簡単に製造することができる。
【００７７】
−組み合わせ−
以上により製造された基板２と、コネクタ５と、サイドコネクタ板７とを以下（１）から（３）の手順により組み合わせ、ブロック体１ａは製造される。
（１）基板２の下面から嵌合部４にサイドコネクタ板７を挿入する。このとき、サイドコネクタ板７は、嵌合部４の敷居部４ａを所定の穴に通すようにする。
（２）基板２のコネクタ挿入口６ａからコネクタ５を挿入する。このとき、コネクタ５は、コネクタ５のピン部５ａ側から挿入される。そして、サイドコネクタ板７の所定の穴に、コネクタ５のピン部５ａと、コネクタ５の固定部５ｄとを通し、コネクタ５のかしめ部５ｃがコネクタ収納部６のストッパー６ｂに接するまで、挿入される。
（３）コネクタ５の固定部５ｄを折り曲げて、コネクタ５と、サイドコネクタ板７とを基体２に固定する。これにより、ブロック体１ａを得る。
【００７８】
第４の実施形態は、部品点数が少なく、加工作業も簡単で、特に、コネクタ５の製造が簡単であるため、ブロック体１ａを低コストで大量に製造できる。
【００７９】
（第５の実施形態）
第１の実施形態のブロック体１ａと、第２の実施形態のブロック体１ｂと、第３の実施体のブロック体１ｃと、その他のブロック体とを接続して様々な電気配線を構成し、その電気配線に電子部品等を接続して簡単に電気回路を構成することができる。ここで、その他のブロック体とは、ブロック体１ａ、ブロック体１ｂ及びブロック体１ｃ以外のブロック体であって、ブロック体１ａと同様の突起部３や嵌合部４を有するブロック体である。その一例を以下に説明するが、ブロック体１ａ、１ｂ、１ｃやその接続の構成、電子部品等は限定される物ではなく、適宜変更可能である。
【００８０】
以下、単に「ブロック体」というときは、第１の実施形態のブロック体１ａ、第２の実施形態のブロック体１ｂ、第３の実施体のブロック体１ｃ及びそれらに接続できるその他のブロック体のいずれか１つを表すものとする。
【００８１】
図８は、第１の実施形態のブロック体１ａと第２の実施形態のブロック体１ｂとを用いた電気回路の一例を写真で表す図である。図８の電気回路は、透明なブロック体１ａを６つと、透明なブロック体１ｂを１つと、電池等の電源を１つと発光ダイオードを３つとを接続していることがわかる。具体的には、まず、突起部３が１列に並ぶようにブロック体１ａを横に２つ並べ、その２つを接続するように上からブロック体１ａを接続する。この配線経路をＲ１とする。そして、同様の構成をもう一つ作る。この配線経路をＲ２とする。それらＲ１とＲ２との２つの配線経路が平行になるように、それら接続の構成を並べ、それら接続の構成を物理的に接続するように２段目のブロック１ａの上からブロック体１ｂを接続する。そして、Ｒ１とＲ２との２つの配線経路を繋ぐように、１段目のコネクタ５の接続部５ｂには電池等の電源を１つと、その反対側に発光ダイオード１つ、２段目のコネクタ５の接続部５ｂには発光ダイオード１つ、３段目のコネクタ５の接続部５ｂには発光ダイオード１つがそれぞれ接続される。
【００８２】
図９は、図８の電気回路を示す図である。図９（ａ）は、図８の電気回路を立体的に示す図であり、図９（ｂ）は、図８及び図９（ａ）の電気回路を平面的に示す図である。なお、図９（ａ）の白丸は、コネクタ５の接続部５ｂを示している。図９（ａ）から図８の電気回路は、発光ダイオード１１ａ、１１ｂ、１１ｃを並列であって立体的に接続していることがわかり、図９（ｂ）は、図８及び図９（ａ）の等価回路であることがわかる。
【００８３】
これにより、図９（ｂ）の電気回路は、例えば、図８のように構成することで簡単に実現することができる。反対に、図９（ｂ）の電気回路は、第１の実施形態のブロック体１ａと、第２の実施形態のブロック体１ｂと、第３の実施形態のブロック体１ｃと、その他のブロック体とで様々に配線経路を構成してよいこともわかる。例えば、簡単な構成を考えると、突起部３を４つ有するブロック体であって、サイドコネクタ板７でコネクタ５が全て電気的に接続されているブロック体を２つ並べ、その２つの配線に電源１つと、発光ダイオード３つとを並列に接続することで、図９（ｂ）と同等の電気回路を構成することができる。
【００８４】
また、電源１０、発光ダイオード１１ａ、１１ｂ、１１ｃと、それらのブロック体で構成される電気配線とは、接続に専用のコネクタや結線処理等の必要が無く、それらの端子を突起部３のコネクタ挿入口６ａから挿入させてコネクタ５の接続部５ｂに接触させるだけで簡単に接続することができる。これにより、簡単に電気回路の構成の変更ができる。
【００８５】
第５の実施形態は、第１の実施形態のブロック体１ａと、第２の実施形態のブロック体１ｂと、第３の実施体のブロック体１ｃと、その他のブロック体とを接続することにより、所望の電気配線を簡単に構成することができる。特に、立体的に電気配線を構築できることから、様々な経路を選択することできる。また、電子部品等も簡単に接続することができ、電気回路の構成変更も柔軟に行うことができる。
【００８６】
（変形例）
図１０は、第５の実施形態の他の例を示す図であり、図１０（ａ）は、図９（ｂ）と異なる電気回路を示す図であり、図１０（ｂ）は、図１０（ａ）の電気回路を実現するための接続の構成例を示す図である。なお、図１０（ｂ）は、端子１４ａ、１４ｂに接続される電源を省略している。また、破線は電気配線を表している。
【００８７】
図１０（ａ）は、抵抗１２ａと、抵抗１２ｂとを直列に接続し、その抵抗１２ｂと並列にコンデンサ１３を接続した電気回路であることがわかる。また、図１０（ａ）の電気回路は、図１０（ｂ）のように、複数のブロック体と、抵抗１２ａと、抵抗１２ｂと、コンデンサ１３と、電源とを接続すると、同等の電気回路を構成できることがわかる。なお、図１０（ｂ）の電気配線は、第１の実施形態のブロック体１ａを２つの他に、コネクタ５とサイドコネクタ板７とを有するブロック体であって突起部３を４つ有するブロック体を２つと、コネクタ５とサイドコネクタ板７とを有するブロック体であって突起部３を３つ有するブロック体を１つとを接続して構築されている。そして、その電気配線の経路の補強として、コネクタ５を有しないブロック体が複数接続されている。
【００８８】
（第６の実施形態）
図１１、図１２及び図１３は、表示装置の一例を説明する図である。図１１は、表示装置の表示板を正面の斜め方向から見た図であり、図１２（ａ）は、表示装置を上方から見た図であり、図１２（ｂ）は、表示装置を正面の斜め方向から見た図であり、図１３は、表示装置を側面から見た図である。なお、図１２（ｂ）は、電源を省略している。
【００８９】
まず、表示板について説明する。表示板１６は、図１１に示すように、第３の実施形態のブロック体１ｃと、突起部３を１つ有するブロック体１ｄと、接続部１６ｃとを接続して構成されている。接続部１６ｃは、表示板１６と電気配線を構成するブロック体群１７とを接続するブロック体であり、具体的には、突起部３を３つ有するブロック体である。この接続部１６ｃは、必要に応じて大きさ、形状や配置を適宜変更でき、不要であれば無くてもよい。
【００９０】
表示板１６は、具体的に、図１１に示すように、次のように構成される。まず、１段目の両端に接続部１６ｃを配置して、その間に第３の実施形態のブロック体１ｃを突起部３が一列になるように９つ並べる。このとき、接続部１６ｃの一端は、表示板１６ｃの背面方向に突起部３を２つ突出させる。そして、２段目以降は、下の段のブロック体の上に、ブロック体１ｃを１つ下の段のブロック体１ｃとずらして同じ方向で７段まで接続していく。このとき、突起部３を１つ有するブロック体１ｄを用いて両端の幅方向の長さを調整してもよい。
【００９１】
各段毎にブロック体１ｃをずらして接続することにより、表示板１６を複数のブロック体で構成しても、各ブロック体の接続は強固になるため、表示板１６は、全体的に頑丈なものとすることができる。
【００９２】
表示装置２０は、図１２（ａ）に示すように、表示板１６と、その表示板１６に沿って２つの電気配線を並列に構成したブロック体群１７と、発光ダイオード１５ａ、１５ｂ、１５ｃ、１５ｄとを備えている。そして、端子２１ａ、２１ｂを電源に接続することにより、発光ダイオード１５ａ、１５ｂ、１５ｃ、１５ｄを発光させ、表示装置２０の正面からみた表示板１６の透明な文字の部分を鮮明に表示させる。
【００９３】
電気配線を構成するブロック体群１７は、第１の実施形態のブロック体１ａと、第２の実施形態のブロック体１ｂと、第３の実施形態のブロック体１ｃと、その他のブロック体とを接続して構成される。発光ダイオード１５ａ、１５ｂ、１５ｃ、１５ｄは、その数や種類を適宜変更することができ、さらに、それらの発光ダイオードを別の発光部品に適宜変更することもできる。
【００９４】
表示板１６は、図１１と同様の構成であり、図１２（ｂ）に示すように、さらに、不透明な部分１６ａと、文字の部分を構成するための透明な部分１６ｂとを備える。この不透明な部分１６ａと透明な部分１６ｂは、表示板１６を構成するブロック体の一部又は全部に透明材料を用いる。
【００９５】
接続部１６ｃは、図１２（ａ）、図１２（ｂ）及び図１３に示すように、接続部１６ｃによって、表示板１６とブロック体群１７とを接続する。なお、表示板１６とブロック体群１７とを一体化する必要がない場合は、接続部１６ｃを他のブロック体に変更したり、省略したりできる。
【００９６】
図１２（ｂ）は、表示板１６の不透明な部分１６ａと透明な部分１６ｂとで文字「Ｉ」、「Ｍ」及び「Ｐ」を表した表示装置２０を示している。この表示装置２０で発光ダイオード１５ａ、１５ｂ、１５ｃ、１５ｄが発光すると、透明な部分１６ｂで構成される「Ｉ」、「Ｍ」及び「Ｐ」の部分が光っているように鮮明に表示される。
【００９７】
第６の実施形態は、表示板の透明な文字やその文字を発光させる電気回路を簡単で柔軟に構成することができる。また、複数のブロック体と、発光部品との接続も専用工具等不要で簡単であるため、様々な場所に持ち運んで使用することができる。
【００９８】
第１の実施形態のブロック体１ａと、第２の実施形態のブロック体１ｂと、第３の実施体のブロック体１ｃと、その他のブロック体とを接続する場合、別途それらのブロック体を一面に接続できるベース板を用いてもよい。
【００９９】
図１４は、ベース板の一例を示す図である。図１４（ａ）は、上方から見た図であり、（ｂ）は側方から見た図である。ベース板３０は、基体３１と、その上面に配列された突起部３と、基体３１と突起部３とに埋設された接続板３２とを備える。
【０１００】
基体３１は、主に絶縁材料からなり、上記ブロック体と同様に透明材料を用いたり、着色したりしてもよい。突起部３も上記ブロック体と同様の構成である。基体３１の上面には、突起部３の位置を特定するために、図１４に示すように、行にＡ，Ｂ，Ｃ，・・・の番号を、列に１，２，３，４，・・・の番号をそれぞれ付けることが好ましい。
【０１０１】
接続板３２は、銅等の導電性材料からなり、例えば、突起部３から露出する接続板３２の接続部３２ａ（以下、単に「露出部」という。）は、各行内で電気的に接続されるように構成される。図１４（ａ）では、Ａ行１列の露出部は、Ａ行の他の列の露出部と電気的に接続されており、Ｂ行やＣ行といった他の行の露出部と電気的に接続されていない。
【０１０２】
上記コネクタ５を有するブロック体をベース板３０に接続する場合、ベース板３０の突起部３はそのブロック体の嵌合部４に嵌合されると同時に、接続板３２の接続部３２ａはそのブロック体のコネクタ５のピン部５ａを挟持する。
【０１０３】
図１５は、ベース板に埋設される接続板の一例を示す図である。図１５（ａ）は上方から見た図であり、図１５（ｂ）は正面から見た図であり、図１５（ｃ）は側方から見た図である。接続板３２は、接続部３２ａと、その他の接続部３２ａ同士を電気的に接続する連結部３２ｂとを備える。この接続部３２ａは、コネクタ５の接続部５ｂと同様に適宜形状や大きさ等を変更できる。また、接続板３２の大きさや形状も適宜変更でき、接続部３２ａの配置や連結部３２ｂによる接続部３２ａの連結される経路も適宜変更できる。
【０１０４】
図１６は、ベース板の他の一例を示す図である。図１６（ａ）は、上方から見た図であり、図１６（ｂ）は側方から見た図である。このベース板３３は、図１４に示すベース板３０から接続板３２を省いた構成である。
【０１０５】
このベース板により、上記ブロック体を安定して接続したり、必要なブロック体の数を低減することができる。また、そのベース板内に必要な露出部だけ電気的に接続された接続板を設けることで、さらに、ブロック体の数を低減することができる。
【産業上の利用可能性】
【０１０６】
本発明に係るブロック体は、簡単で安定した電気配線を構築することができる。特に、立体的にも配線を構築でき、電子部品等との接続も簡単で専用工具等も必要でないことから、様々な電気回路をより身近なものとして利用することができる。そのため、例えば、ブロック体としての玩具だけでなく、電気回路を実際に触れてみて理解する教材として、その教育分野にも需要の拡大が期待でき、産業上の利用可能性は極めて大きい。
【符号の説明】
【０１０７】
１ａ、１ｂ、１ｃ、１ｄ  ブロック体
２  基体
３  突起部
４  嵌合部
４ａ  敷居部
５  コネクタ
５ａ  ピン部
５ｂ  接続部
５ｃ  かしめ部
５ｄ  固定部
６  コネクタ収納部
６ａ  コネクタ挿入口
６ｂ  ストッバー
７  サイドコネクタ板
１０  電源
１１ａ、１１ｂ、１１ｃ、１５ａ、１５ｂ、１５ｃ、１５ｄ  発光ダイオード
１６  表示板
２０  表示装置
３０  ベース板
５１  銅板
５２  パイプ
５３  銅の棒材
５４  圧着工具
５５  切断工具
【図１】
2011067386.tif 000003
【図２】
2011067386.tif 000004
【図３】
2011067386.tif 000005
【図４】
2011067386.tif 000006
【図５】
2011067386.tif 000007
【図６】
2011067386.tif 000008
【図７】
2011067386.tif 000009
【図８】
2011067386.tif 000010
【図９】
2011067386.tif 000011
【図１０】
2011067386.tif 000012
【図１１】
2011067386.tif 000013
【図１２】
2011067386.tif 000014
【図１３】
2011067386.tif 000015
【図１４】
2011067386.tif 000016
【図１５】
2011067386.tif 000017
【図１６】
2011067386.tif 000018